(57)【要約】【課題】相手電気コネクタと嵌り合ったときに相手電気コネクタの抜去を抑制するロック状態となるにも関わらず、ロック状態からの相手電気コネクタの抜去を簡単に行える電気コネクタを提供する。【解決手段】リセプタクルコネクタ１００の梃子部材において、第１作用部１３２ｂは、支軸部１３１ｂの回転に伴って、プラグコネクタ２００の背面２３０に回り込んでプラグコネクタ２００との嵌り合いを保持するロック位置と、プラグコネクタ２００の抜去を許容する退避位置との間で移動する。第２作用部１３３ｂは、プラグコネクタ２００によって押圧されることにより、第１作用部１３２ｂを退避位置からロック位置に移動させる支軸部１３１ｂの回転をもたらす一方、第１作用部１３２ｂがロック位置から退避位置に移動されるときの支軸部１３１ｂの回転に伴って、プラグコネクタ２００を抜去させる向きに押圧する。【選択図】図９
2019021400.tif 000002
【特許請求の範囲】
【請求項１】
相手電気コネクタと嵌り合う形状を有する本体部と、
前記本体部に保持され、前記相手電気コネクタと前記本体部とが嵌り合ったときに、前記相手電気コネクタが備える相手コンタクトと電気的に接触するコンタクトと、
前記本体部と前記相手電気コネクタとの嵌り合いの保持、及び前記本体部からの前記相手電気コネクタの抜去を行う梃子部材と、を備え、
前記梃子部材が、
前記相手電気コネクタと前記本体部とが嵌り合う方向と交差する方向に延び、前記本体部によって回転自在に保持された支軸部と、
前記支軸部から、前記支軸部と交差する方向に延設され、前記支軸部の回転に伴って、前記相手電気コネクタの、前記本体部と対面する正面とは反対側の背面に回り込んで前記嵌り合いを保持するロック位置と、前記相手電気コネクタの前記本体部からの抜去を許容する退避位置との間で移動する第１作用部と、
前記支軸部から、前記支軸部に平行な側面視において前記第１作用部と交差する方向に延設され、前記相手電気コネクタが前記本体部に嵌るときに、前記相手電気コネクタによって押圧されることにより、前記第１作用部を前記退避位置から前記ロック位置に移動させる前記支軸部の回転をもたらす一方、前記第１作用部が前記ロック位置から前記退避位置に移動されるときの前記支軸部の回転に伴って、前記相手電気コネクタを、前記本体部から抜去させる向きに押圧する第２作用部と、
を有する、電気コネクタ。
【請求項２】
前記第１作用部が、
前記本体部の外側において、前記支軸部から、前記支軸部に平行な側面視において前記第２作用部と交差する方向に延びた腕部と、
前記腕部から、前記腕部に平行な平面視において前記支軸部と前記第２作用部との接続部分に近づく向きに前記支軸部と平行に延び、前記背面に回り込む折り返し部と、
を有する、請求項１に記載の電気コネクタ。
【請求項３】
前記梃子部材が、前記支軸部回りのねじり弾性を有しており、
前記本体部と前記相手電気コネクタとの嵌り合いが完了したとき、前記支軸部に平行な側面視において前記腕部と前記第２作用部とのなす角度を広げるねじり応力が、前記支軸部に残留した状態となることにより、前記支軸部の前記ねじり応力に対する弾性復元力によって、前記折り返し部と前記第２作用部とが前記相手電気コネクタに押し付けられる、
請求項２に記載の電気コネクタ。
【請求項４】
前記本体部に前記相手電気コネクタが嵌り合っていないときに、前記支軸部に平行な側面視において前記腕部と前記第２作用部とのなす角度が９０°未満である、
請求項２又は３に記載の電気コネクタ。
【請求項５】
前記第１作用部が前記退避位置に移動したときに、前記折り返し部が前記本体部に接触し、前記折り返し部と前記本体部との間の摩擦力によって、前記第１作用部が前記退避位置に係止される、
請求項２から４のいずれか１項に記載の電気コネクタ。
【請求項６】
前記本体部が、前記相手電気コネクタと前記本体部とが嵌り合う方向に平行な平面視において、一方向を長手方向とする長尺な形状をなしており、
前記梃子部材が、
前記支軸部と、前記第１作用部と、前記第２作用部との組を、前記本体部の前記長手方向の一端部と他端部とのそれぞれに有し、かつ一方の組の前記折り返し部と、他方の組の前記折り返し部とをつなぐ連結部を有する、
請求項２から５のいずれか１項に記載の電気コネクタ。
【請求項７】
前記梃子部材が、
前記第１作用部を前記ロック位置から前記退避位置に移動させるのに要する力よりも大きな力で、前記相手電気コネクタが、前記第２作用部によって、前記本体部から抜去させる向きに押圧されるように構成されている、
請求項１から６のいずれか１項に記載の電気コネクタ。
【請求項８】
前記本体部が、
前記コンタクトを保持する絶縁性のハウジングと、
前記ハウジングの外面を覆う導電性のシェルと、を有し、
前記支軸部が、前記ハウジングと前記シェルとによって挟み込まれることにより、前記本体部によって回転自在に保持されている、
請求項１から７のいずれか１項に記載の電気コネクタ。
【発明の詳細な説明】
【技術分野】
【０００１】
本発明は、相手電気コネクタと嵌り合う電気コネクタに関する。
【背景技術】
【０００２】
種々の電気機器において、電気コネクタと相手電気コネクタとよりなる電気コネクタ対が、広く用いられている。電気コネクタと相手電気コネクタは、互いに嵌り合ったときに電気的に接続される。
【０００３】
電気コネクタ対においては、電気コネクタと相手電気コネクタとの嵌り合いが意図せずに解除されてしまうと、両者間の電気的な接続の信頼性が低下する。そこで、相手電気コネクタと嵌り合った後に、相手電気コネクタの抜去を抑制するロック状態となる電気コネクタが提案されている（特許文献１参照）。
【先行技術文献】
【特許文献】
【０００４】
【特許文献１】特開２００５−１３５７０４号公報
【発明の概要】
【発明が解決しようとする課題】
【０００５】
特許文献１の電気コネクタによれば、相手電気コネクタの意図しない抜去は抑制されるものの、電気コネクタから相手電気コネクタを抜去させたい場合には、抜去の操作とは別に、上記ロック状態を解除する操作が必要である。このため、相手電気コネクタの抜去に手間がかかる。
【０００６】
本発明の目的は、相手電気コネクタと嵌り合ったときに相手電気コネクタの抜去を抑制するロック状態となるにも関わらず、ロック状態からの相手電気コネクタの抜去を簡単に行える電気コネクタを提供することである。
【課題を解決するための手段】
【０００７】
上記目的を達成するために、本発明に係る電気コネクタは、
相手電気コネクタと嵌り合う形状を有する本体部と、
前記本体部に保持され、前記相手電気コネクタと前記本体部とが嵌り合ったときに、前記相手電気コネクタが備える相手コンタクトと電気的に接触するコンタクトと、
前記本体部と前記相手電気コネクタとの嵌り合いの保持、及び前記本体部からの前記相手電気コネクタの抜去を行う梃子部材と、を備え、
前記梃子部材が、
前記相手電気コネクタと前記本体部とが嵌り合う方向と交差する方向に延び、前記本体部によって回転自在に保持された支軸部と、
前記支軸部から、前記支軸部と交差する方向に延設され、前記支軸部の回転に伴って、前記相手電気コネクタの、前記本体部と対面する正面とは反対側の背面に回り込んで前記嵌り合いを保持するロック位置と、前記相手電気コネクタの前記本体部からの抜去を許容する退避位置との間で移動する第１作用部と、
前記支軸部から、前記支軸部に平行な側面視において前記第１作用部と交差する方向に延設され、前記相手電気コネクタが前記本体部に嵌るときに、前記相手電気コネクタによって押圧されることにより、前記第１作用部を前記退避位置から前記ロック位置に移動させる前記支軸部の回転をもたらす一方、前記第１作用部が前記ロック位置から前記退避位置に移動されるときの前記支軸部の回転に伴って、前記相手電気コネクタを、前記本体部から抜去させる向きに押圧する第２作用部と、
を有する。
【０００８】
前記第１作用部が、
前記本体部の外側において、前記支軸部から、前記支軸部に平行な側面視において前記第２作用部と交差する方向に延びた腕部と、
前記腕部から、前記腕部に平行な平面視において前記支軸部と前記第２作用部との接続部分に近づく向きに前記支軸部と平行に延び、前記背面に回り込む折り返し部と、
を有していてもよい。
【０００９】
前記梃子部材が、前記支軸部回りのねじり弾性を有しており、
前記本体部と前記相手電気コネクタとの嵌り合いが完了したとき、前記支軸部に平行な側面視において前記腕部と前記第２作用部とのなす角度を広げるねじり応力が、前記支軸部に残留した状態となることにより、前記支軸部の前記ねじり応力に対する弾性復元力によって、前記折り返し部と前記第２作用部とが前記相手電気コネクタに押し付けられてもよい。
【００１０】
前記本体部に前記相手電気コネクタが嵌り合っていないときに、前記支軸部に平行な側面視において前記腕部と前記第２作用部とのなす角度が９０°未満であってもよい。
【００１１】
前記第１作用部が前記退避位置に移動したときに、前記折り返し部が前記本体部に接触し、前記折り返し部と前記本体部との間の摩擦力によって、前記第１作用部が前記退避位置に係止されてもよい。
【００１２】
前記本体部が、前記相手電気コネクタと前記本体部とが嵌り合う方向に平行な平面視において、一方向を長手方向とする長尺な形状をなしており、
前記梃子部材が、
前記支軸部と、前記第１作用部と、前記第２作用部との組を、前記本体部の前記長手方向の一端部と他端部とのそれぞれに有し、かつ一方の組の前記折り返し部と、他方の組の前記折り返し部とをつなぐ連結部を有していてもよい。
【００１３】
前記梃子部材が、
前記第１作用部を前記ロック位置から前記退避位置に移動させるのに要する力よりも大きな力で、前記相手電気コネクタが、前記第２作用部によって、前記本体部から抜去させる向きに押圧されるように構成されていてもよい。
【００１４】
前記本体部が、
前記コンタクトを保持する絶縁性のハウジングと、
前記ハウジングの外面を覆う導電性のシェルと、を有し、
前記支軸部が、前記ハウジングと前記シェルとによって挟み込まれることにより、前記本体部によって回転自在に保持されていてもよい。
【発明の効果】
【００１５】
本発明の電気コネクタによれば、相手電気コネクタと嵌り合う過程で、第１作用部が、相手電気コネクタの背面に回り込んだロック位置に移動する。このため、相手電気コネクタと嵌り合ったときには、上記電気コネクタは、相手電気コネクタの抜去を抑制するロック状態となっている。
【００１６】
ロック状態は、第１作用部がロック位置から退避位置に移動されることで解除されるところ、ロック位置から退避位置への第１作用部の移動に伴い、第２作用部が、相手電気コネクタを抜去させる向きに押圧する。このため、第１作用部を用いてロック状態を解除することと並行して、第２作用部によって相手電気コネクタの抜去が行われる。従って、ロック状態を解除する操作と、相手電気コネクタを抜去する操作とを別々に行う必要があった従来技術に比べて、ロック状態からの相手電気コネクタの抜去を簡単に行える。
【図面の簡単な説明】
【００１７】
【図１】実施形態１に係るリセプタクルコネクタとプラグコネクタの斜視図。
【図２】実施形態１に係るリセプタクルコネクタにプラグコネクタが嵌り合った電気コネクタ対の、図３（Ａ）のＸＸ−ＸＸ線の位置における断面図。
【図３】（Ａ）は、実施形態１に係るリセプタクルコネクタにプラグコネクタが嵌り合った電気コネクタ対の背面図。（Ｂ）は、同電気コネクタ対の左側面図。
【図４】（Ａ）は、実施形態１に係る梃子部材の斜視図。（Ｂ）は、同梃子部材の腕部に平行な平面図。（Ｃ）は、同梃子部材の支軸部に平行な右側面図。
【図５】（Ａ）は、実施形態１に係るリセプタクルコネクタからリセプタクルシェルを取り去った残部を示す平面図。（Ｂ）と（Ｃ）は、同残部の部分拡大平面図。
【図６】実施形態１に係るリセプタクルコネクタからリセプタクルシェルを取り去った残部の右側面図。
【図７】（Ａ）は、実施形態１に係るリセプタクルコネクタの右側面図。（Ｂ）は、同リセプタクルコネクタの左側面図。
【図８】（Ａ）〜（Ｃ）は、実施形態１に係るリセプタクルコネクタとプラグコネクタの嵌まり合う過程を示す、図３（Ａ）のＹＹ−ＹＹ線の位置における断面図。
【図９】（Ａ）〜（Ｃ）は、実施形態１に係るリセプタクルコネクタとプラグコネクタの抜去の過程を示す、図３（Ａ）のＹＹ−ＹＹ線の位置における断面図。
【図１０】実施形態２に係る梃子部材の斜視図。
【発明を実施するための形態】
【００１８】
以下、図面を参照し、本発明の一実施形態を、電気コネクタが、基板に接続されるリセプタクルコネクタであり、相手電気コネクタが、同軸ケーブルに接続されるプラグコネクタである場合を例に挙げて説明する。図中、同一又は対応する部分に同一の符号を付す。
【００１９】
［実施形態１］
図１に示すように、本実施形態に係る電気コネクタ対３００は、電気コネクタとしてのリセプタクルコネクタ１００と、電気コネクタに嵌り合う相手電気コネクタとしてのプラグコネクタ２００とを備える。
【００２０】
リセプタクルコネクタ１００は、基板ＢＤに取り付けられ、基板ＢＤに形成されている図示せぬプリント配線と電気的に接続されている。なお、図１では、理解を容易にするために、基板ＢＤを一部のみ示す。一方、プラグコネクタ２００は、複数の同軸ケーブルＷＲと電気的に接続されている。
【００２１】
リセプタクルコネクタ１００とプラグコネクタ２００は、基板ＢＤに対する法線の方向（以下、基板法線方向という。）に嵌り合う。両者が嵌り合ったときに、同軸ケーブルＷＲと、基板ＢＤの図示せぬプリント配線とが電気的に接続される。
【００２２】
まず、リセプタクルコネクタ１００の構成について説明する。リセプタクルコネクタ１００は、プラグコネクタ２００と嵌り合う形状を有するリセプタクル本体部１１０と、リセプタクル本体部１１０に保持された複数のリセプタクルコンタクト１２０とを備える。
【００２３】
リセプタクル本体部１１０は、基板法線方向に平行な平面視において、一方向を長手方向とする長尺な形状をなしている。複数のリセプタクルコンタクト１２０は、リセプタクル本体部１１０の長手方向に配列されている。各々のリセプタクルコンタクト１２０は、導電性を有し、基板ＢＤの図示せぬプリント配線と電気的に接続されている。
【００２４】
図２に示すように、リセプタクル本体部１１０は、絶縁性のリセプタクルハウジング１１１と、導電性のリセプタクルシェル１１２とを有する。リセプタクルハウジング１１１は樹脂よりなり、リセプタクルシェル１１２は金属よりなる。リセプタクルハウジング１１１が、リセプタクルコンタクト１２０を保持している。
【００２５】
リセプタクルシェル１１２は、電気的ノイズを遮蔽するために、リセプタクルハウジング１１１の外面を覆っている。リセプタクルシェル１１２は、基板ＢＤと接する部分に、基板ＢＤと平行な向きに延出した固定部１１３を有する。
【００２６】
図１に示すように、固定部１１３は、リセプタクル本体部１１０の周囲に複数設けられている。各々の固定部１１３が、はんだ付けによって基板ＢＤに固定されることにより、リセプタクルコネクタ１００が基板ＢＤに固定される。
【００２７】
次に、プラグコネクタ２００の構成について説明する。図１に示すように、プラグコネクタ２００は、同軸ケーブルＷＲに接続されたプラグ本体部２１０を備える。プラグ本体部２１０は、基板法線方向に平行な平面視において、一方向を長手方向とする長尺な形状をなしており、リセプタクル本体部１１０と嵌り合う。
【００２８】
図２に示すように、プラグコネクタ２００は、プラグ本体部２１０に保持された相手コンタクトとしてのプラグコンタクト２２０も備える。プラグコンタクト２２０は、プラグ本体部２１０の長手方向、即ち図２の紙面に垂直な方向に、複数配列されている。各々のプラグコンタクト２２０は、導電性を有し、同軸ケーブルＷＲの中心導体ＣＷと電気的に接続されている。
【００２９】
プラグ本体部２１０は、絶縁性のプラグハウジング２１１と、導電性のプラグシェル２１２及び２１３とを有する。プラグハウジング２１１は樹脂よりなり、プラグシェル２１２及び２１３は金属よりなる。プラグハウジング２１１が、プラグコンタクト２２０を保持している。
【００３０】
プラグシェル２１２及び２１３は、電気的ノイズを遮蔽するために、プラグハウジング２１１の外面を覆っている。一方のプラグシェル２１２は、プラグハウジング２１１の、基板法線方向に関して基板ＢＤから遠い部分を覆っており、他方のプラグシェル２１３は、プラグハウジング２１１の基板ＢＤに近い部分を覆っている。
【００３１】
図１に示すように、一方のプラグシェル２１２は、プラグコネクタ２００の、リセプタクル本体部１１０と対面する正面とは反対側の背面２３０にも及んでいる。即ち、背面２３０はプラグシェル２１２で構成されている。
【００３２】
以上説明した電気コネクタ対３００においては、リセプタクルコネクタ１００とプラグコネクタ２００とが嵌り合ったときに、リセプタクルコンタクト１２０とプラグコンタクト２２０とが電気的に接触する。これにより、両コンタクト１２０及び２２０を介して、同軸ケーブルＷＲと、基板ＢＤの図示せぬプリント配線とが電気的に接続される。
【００３３】
かかる構成においては、仮に、リセプタクルコネクタ１００とプラグコネクタ２００との嵌り合いが意図せずに解除されてしまうと、同軸ケーブルＷＲとプリント配線との電気的な接続の信頼性が低下する。
【００３４】
そこで、本実施形態に係るリセプタクルコネクタ１００は、同軸ケーブルＷＲとプリント配線との電気的な接続の信頼性を向上させることを一目的として、図１及び図２に示す梃子部材１３０を備える。梃子部材１３０は、プラグコネクタ２００との嵌り合いを保持するものであり、リセプタクル本体部１１０によって回転自在に保持されている。以下、梃子部材１３０について述べる。
【００３５】
図３（Ａ）及び（Ｂ）にも示すように、梃子部材１３０は、プラグコネクタ２００がリセプタクルコネクタ１００に嵌ったときに、プラグコネクタ２００の背面２３０に回り込んだ状態となる。このため、梃子部材１３０によって、リセプタクル本体部１１０とプラグコネクタ２００との嵌り合いが保持され、プラグコネクタ２００の意図しない抜去が抑制される。なお、梃子部材１３０は、後述するように、リセプタクル本体部１１０からのプラグコネクタ２００の抜去も行う。
【００３６】
以下、図４（Ａ）〜（Ｃ）を参照し、梃子部材１３０の構成を具体的に説明する。
【００３７】
図４（Ａ）に示すように、梃子部材１３０は、一方向を長手方向とする長尺な形状をなす。梃子部材１３０は、その長手方向の一端部１３０ａに支軸部１３１ａを有し、他端部１３０ｂにも支軸部１３１ｂを有する。それら支軸部１３１ａ及び１３１ｂが、図１及び図２に示したリセプタクル本体部１１０によって、回転自在に保持される。
【００３８】
なお、梃子部材１３０は、支軸部１３１ａ及び１３１ｂ回りのねじり弾性を有する素材、具体的には金属、より具体的にはステンレスよりなる。但し、図４（Ａ）〜（Ｃ）には、支軸部１３１ａ及び１３１ｂ回りにねじり応力がかかっていない、自然状態の梃子部材１３０を示している。
【００３９】
梃子部材１３０の長手方向の一端部１３０ａの形状と、他端部１３０ｂの形状とは、梃子部材１３０の長手方向に垂直な仮想平面に対して、面対称である。まず、梃子部材１３０の一端部１３０ａの形状について説明する。
【００４０】
梃子部材１３０は、その一端部１３０ａに、上述した支軸部１３１ａと、支軸部１３１ａに延設された第１作用部１３２ａ及び第２作用部１３３ａとを有する。支軸部１３１ａは、梃子部材１３０の長手方向と平行に棒状に延びている。
【００４１】
第２作用部１３３ａは、支軸部１３１ａの両端部のうち、梃子部材１３０の他端部１３０ｂに近い方の端部（以下、基端部という。）から、支軸部１３１ａと交差する方向に延設されている。第２作用部１３３ａは、棒状をなす。
【００４２】
第１作用部１３２ａは、支軸部１３１ａの両端部のうち、梃子部材１３０の他端部１３０ｂから遠い方の端部（以下、先端部という。）から、支軸部１３１ａと交差する方向に延設されている。第１作用部１３２ａは、支軸部１３１ａの先端部に一端部がつながれた棒状の腕部１３４ａと、腕部１３４ａの他端部につながれた折り返し部１３５ａとを有する。
【００４３】
図４（Ｂ）に示すように、折り返し部１３５ａは、腕部１３４ａに平行な平面視において、腕部１３４ａの他端部から、腕部１３４ａよりも梃子部材１３０の他端部１３０ｂに近い位置に向かって延びている。折り返し部１３５ａは、支軸部１３１ａと平行な仮想平面上に存在する。
【００４４】
具体的には、折り返し部１３５ａは、腕部１３４ａの他端部から、支軸部１３１ａと第２作用部１３３ａとの接続部分１３６ａに近づく向きに支軸部１３１ａと平行に延びている。折り返し部１３５ａを腕部１３４ａに平行に投影した投影領域は、支軸部１３１ａを腕部１３４ａに平行に投影した投影領域と重なる。
【００４５】
図４（Ｃ）に示すように、第１作用部１３２ａは、支軸部１３１ａに平行な側面視において、全体として、第２作用部１３３ａと交差する方向に延設されている。腕部１３４ａは、支軸部１３１ａの先端部から、支軸部１３１ａに平行な側面視において、第２作用部１３３ａと交差する方向に棒状に延びている。
【００４６】
腕部１３４ａの長さＬ１は、第２作用部１３３ａの長さＬ２より長い。具体的には、腕部１３４ａの長さＬ１は、第２作用部１３３ａの長さＬ２の１．５倍以上である。
【００４７】
また、支軸部１３１ａにねじり応力がかかっていない自然状態において、支軸部１３１ａに平行な側面視において、腕部１３４ａと第２作用部１３３ａとのなす角度θは９０°未満、具体的には８５°である。
【００４８】
次に、梃子部材１３０の他端部１３０ｂの形状について説明する。上述したように、他端部１３０ｂは、一端部１３０ａと面対称な形状をなす。
【００４９】
即ち、図４（Ａ）に示すように、梃子部材１３０の他端部１３０ｂは、梃子部材１３０の長手方向と平行に延びた支軸部１３１ｂと、支軸部１３１ｂの両端部のうち梃子部材１３０の一端部１３０ａから遠い方の先端部から、支軸部１３１ｂと交差する方向に延設された第１作用部１３２ｂと、支軸部１３１ｂの両端部のうち梃子部材１３０の一端部１３０ａに近い方の基端部から、支軸部１３１ｂと交差する方向に延設された第２作用部１３３ｂとを有する。
【００５０】
第１作用部１３２ｂは、支軸部１３１ｂから、支軸部１３１ｂに平行な側面視において第２作用部１３３ｂと交差する方向に棒状に延びた腕部１３４ｂと、腕部１３４ｂにつながれた折り返し部１３５ｂとを有する。折り返し部１３５ｂは、図４（Ｂ）に示したように、腕部１３４ｂに平行な平面視において、支軸部１３１ｂと第２作用部１３３ｂとの接続部分１３６ｂに近づく向きに延びている。
【００５１】
そして、梃子部材１３０の左側面図も、図４（Ｃ）に示す右側面図と同様であり、腕部１３４ｂの長さは、腕部１３４ａの長さＬ１と等しく、第２作用部１３３ｂの長さは、第２作用部１３３ａの長さＬ２と等しい。
【００５２】
また、支軸部１３１ａ及び１３１ｂにねじり応力がかかっていない自然状態において、腕部１３４ｂと第２作用部１３３ｂとのなす角度は、腕部１３４ａと第２作用部１３３ａとのなす角度θと等しく、９０°未満、具体的には８５°である。
【００５３】
以上、梃子部材１３０の一端部１３０ａと他端部１３０ｂの形状について説明した。さらに、梃子部材１３０は、図４（Ａ）及び（Ｂ）に示すように、一端部１３０ａの折り返し部１３５ａと、他端部１３０ｂの折り返し部１３５ｂとをつなぐ連結部１３７も有している。連結部１３７は、梃子部材１３０の長手方向に沿って棒状に延びている。
【００５４】
なお、梃子部材１３０は、一本の棒状体を折り曲げ加工することによって形成されたものである。一端部１３０ａ、他端部１３０ｂ、及び連結部１３７は、一体をなしている。
【００５５】
以下、図５〜図７を参照し、リセプタクル本体部１１０の、梃子部材１３０を保持する部分の構造について説明する。
【００５６】
図７（Ａ）及び（Ｂ）に示すように、リセプタクル本体部１１０は、リセプタクルハウジング１１１とリセプタクルシェル１１２とを有する。このうちのリセプタクルハウジング１１１を明示するために、図５と図６には、リセプタクルコネクタ１００から、リセプタクルシェル１１２を取り去った残部のみを示している。
【００５７】
まず、図５と図６を参照し、リセプタクルハウジング１１１の、梃子部材１３０を保持する部分の形状について説明する。
【００５８】
図５（Ａ）に示すように、リセプタクルハウジング１１１は、基板法線方向に平行な平面視において、リセプタクルコンタクト１２０が複数配列される領域（以下、電気的接触領域という。）ＲＣの外部の領域に、梃子部材１３０の一方の支軸部１３１ａを支える軸受け部１１１ａと、他方の支軸部１３１ｂを保持する軸受け部１１１ｂとを有する。
【００５９】
具体的には、電気的接触領域ＲＣは、基板法線方向に平行な平面視において、リセプタクルコネクタ１００の長手方向と平行に長尺に延在する。そして、一方の軸受け部１１１ａは、電気的接触領域ＲＣの長手方向の一端からリセプタクルハウジング１１１の長手方向の一端までの間に配置され、他方の軸受け部１１１ｂは、電気的接触領域ＲＣの長手方向の他端からリセプタクルハウジング１１１の長手方向の他端までの間に配置されている。
【００６０】
図６に示すように、一方の軸受け部１１１ａは、各々基板法線方向に突出して互いに対面する一対の端壁部１１１ａ１及び１１１ａ２と、それら端壁部１１１ａ１及び１１１ａ２の根元部分において、一方の端壁部１１１ａ１と他方の端壁部１１１ａ２とをつなぐ被載置部１１１ａ３とを有する。
【００６１】
図５（Ｂ）にも示すように、一対の端壁部１１１ａ１及び１１１ａ２は、基板法線方向に平行な平面視においてリセプタクルコネクタ１００の長手方向と直交する方向（以下、短手方向という。）に、対面している。
【００６２】
そして、梃子部材１３０の一方の支軸部１３１ａは、一対の端壁部１１１ａ１及び１１１ａ２の間に配置され、それら端壁部１１１ａ１及び１１１ａ２によって短手方向の移動が制限された状態で、被載置部１１１ａ３に載っている。
【００６３】
支軸部１３１ａの、腕部１３４ａにつながれた先端部は、リセプタクルハウジング１１１の長手方向の一端よりも外方に突出している。一方、支軸部１３１ａの、第２作用部１３３ａにつながれた基端部は、リセプタクルハウジング１１１の長手方向に関して、端壁部１１１ａ１及び１１１ａ２よりも、図５（Ａ）に示す他方の軸受け部１１１ｂに近い内方に配置されている。
【００６４】
図５（Ｃ）に示すように、他方の軸受け部１１１ｂも同様に、各々基板法線方向に突出して互いに短手方向に相対面する一対の端壁部１１１ｂ１及び１１１ｂ２と、それら端壁部１１１ｂ１及び１１１ｂ２の根元部分において、一方の端壁部１１１ｂ１と他方の端壁部１１１ｂ２とをつなぐ被載置部１１１ｂ３とを有する。
【００６５】
そして、梃子部材１３０の他方の支軸部１３１ｂは、一対の端壁部１１１ｂ１及び１１１ｂ２の間に配置され、それら端壁部１１１ｂ１及び１１１ｂ２によって短手方向の移動が制限された状態で、被載置部１１１ｂ３に載っている。
【００６６】
支軸部１３１ｂの、腕部１３４ｂにつながれた先端部は、リセプタクルハウジング１１１の長手方向の他端よりも外方に突出している。一方、支軸部１３１ｂの、第２作用部１３３ｂにつながれた基端部は、リセプタクルハウジング１１１の長手方向に関して、端壁部１１１ｂ１及び１１１ｂ２よりも、図５（Ａ）に示す一方の軸受け部１１１ａに近い内方に配置されている。
【００６７】
次に、図７（Ａ）及び（Ｂ）に示すリセプタクルシェル１１２の、梃子部材１３０を保持する部分の形状について説明する。リセプタクルシェル１１２は、梃子部材１３０を、リセプタクルハウジング１１１と共に保持する。
【００６８】
図７（Ａ）に示すように、リセプタクルシェル１１２は、リセプタクルコネクタ１００の、長手方向の一端面である側面１１４ａを構成している。リセプタクルシェル１１２のその側面１１４ａを構成する部分には、支軸部１３１ａが嵌る切り欠き１１２ａが形成されている。
【００６９】
切り欠き１１２ａは、リセプタクルシェル１１２の、固定部１１３が延設される端縁から、基板法線方向に関して基板ＢＤから遠ざかる向きに延びている。切り欠き１１２ａの内面の、基板ＢＤから最も遠い頂部１１２ａ１は、図６に示す端壁部１１１ａ１及び１１１ａ２の、基板ＢＤから最も遠い頂部よりも、基板ＢＤに近い。
【００７０】
図７（Ｂ）に示すように、リセプタクルシェル１１２は、リセプタクルコネクタ１００の、長手方向の他端面である側面１１４ｂも構成している。リセプタクルシェル１１２のその側面１１４ｂを構成する部分にも、支軸部１３１ｂが嵌る切り欠き１１２ｂが形成されている。
【００７１】
切り欠き１１２ｂは、リセプタクルシェル１１２の、固定部１１３が延設される端縁から、基板法線方向に関して基板ＢＤから遠ざかる向きに延びている。切り欠き１１２ｂの内面の、基板ＢＤから最も遠い頂部１１２ｂ１は、図５（Ｃ）に示す端壁部１１１ｂ１及び１１１ｂ２の、基板ＢＤから最も遠い頂部よりも、基板ＢＤに近い。
【００７２】
そして、リセプタクルシェル１１２は、図７（Ａ）に示す切り欠き１１２ａが、被載置部１１１ａ３に載った支軸部１３１ａの、リセプタクルハウジング１１１から突出した部分に嵌り、図７（Ｂ）に示す切り欠き１１２ｂが、被載置部１１１ｂ３に載った支軸部１３１ｂの、リセプタクルハウジング１１１から突出した部分に嵌るように、基板法線方向に関して基板ＢＤに近づく向きに、リセプタクルハウジング１１１に被せられている。
【００７３】
これにより、支軸部１３１ａ及び１３１ｂが、リセプタクルハウジング１１１とリセプタクルシェル１１２とによって、基板法線方向に挟み込まれることにより、回転自在に保持される。このように、梃子部材１３０をリセプタクルハウジング１１１とリセプタクルシェル１１２とによって挟み込むため、リセプタクルハウジング１１１のみ、又はリセプタクルシェル１１２のみで、梃子部材１３０を回転自在に保持する場合に比べて、リセプタクルハウジング１１１及びリセプタクルシェル１１２の形状の複雑化が抑えられる。
【００７４】
上記構成を成すようにリセプタクルコネクタ１００を組み立てるに際しては、例えば、予め一方の支軸部１３１ａを切り欠き１１２ａに嵌め、他方の支軸部１３１ｂを切り欠き１１２ｂに嵌めた梃子部材１３０及びリセプタクルシェル１１２を、一方の支軸部１３１ａが一方の被載置部１１１ａ３に載り、他方の支軸部１３１ｂが他方の被載置部１１１ｂ３に載るように、リセプタクルハウジング１１１に嵌め込むとよい。
【００７５】
なお、既述のように、リセプタクルシェル１１２は、固定部１１３において、図１に示す基板ＢＤに固定される。これにより、リセプタクルシェル１１２によって覆われたリセプタクルハウジング１１１も、リセプタクルシェル１１２によって基板ＢＤに固定された状態となる。
【００７６】
以上の如くして組み立てられたリセプタクルコネクタ１００においては、梃子部材１３０の、基板ＢＤから遠ざかる向きの基板法線方向の変位は、図７（Ａ）において、支軸部１３１ａが切り欠き１１２ａの頂部１１２ａ１に当たること、及び図７（Ｂ）において、支軸部１３１ｂが切り欠き１１２ｂの頂部１１２ｂ１に当たることによって制限される。
【００７７】
また、梃子部材１３０の、リセプタクルコネクタ１００の短手方向の変位は、一方の支軸部１３１ａが、図５（Ｂ）に示す端壁部１１１ａ１と１１１ａ２及び図７（Ａ）に示す切り欠き１１２ａの内面に当たること、並びに他方の支軸部１３１ｂが、図５（Ｃ）に示す端壁部１１１ｂ１と１１１ｂ２及び図７（Ｂ）に示す切り欠き１１２ｂの内縁に当たることによって制限される。
【００７８】
また、図７（Ａ）、（Ｂ）に示す腕部１３４ａ、１３４ｂは、それぞれリセプタクルコネクタ１００の側面１１４ａ、１１４ｂよりも外側において、側面１１４ａ、１１４ｂと平行に延在している。このため、梃子部材１３０の、リセプタクルコネクタ１００の長手方向の変位は、一方の腕部１３４ａが側面１１４ａに当たること、及び他方の腕部１３４ｂが側面１１４ｂに当たることによって制限される。
【００７９】
次に、図７（Ａ）及び（Ｂ）に示す支軸部１３１ａ及び１３１ｂの回転に関する可動域について説明する。
【００８０】
図７（Ａ）において、支軸部１３１ａには、第２作用部１３３ａ、腕部１３４ａ、及び折り返し部１３５ａが延設されているので、これらは、支軸部１３１ａ回りに、支軸部１３１ａと一緒に回転する。
【００８１】
また、折り返し部１３５ａは、図４（Ａ）及び（Ｂ）に示す連結部１３７を介して、図７（Ｂ）に示す折り返し部１３５ｂ、腕部１３４ｂ、支軸部１３１ｂ、及び第２作用部１３３ｂと一体をなす。このため、それらも、図７（Ａ）に示す折り返し部１３５ａ、腕部１３４ａ、支軸部１３１ａ、及び第２作用部１３３ａと一緒に回転する。
【００８２】
また、図７（Ａ）において、腕部１３４ａの長さは、リセプタクル本体部１１０の基板ＢＤから最も遠い頂面１１５と、被載置部１１１ａ３との間の基板法線方向の距離よりも長い。図７（Ｂ）においても同様に、腕部１３４ｂの長さは、頂面１１５と被載置部１１１ｂ３との間の基板法線方向の距離よりも長い。このため、折り返し部１３５ａ及び１３５ｂ、並びに図４（Ａ）及び（Ｂ）に示す連結部１３７は、頂面１１５よりも基板ＢＤから遠い位置への移動が可能である。
【００８３】
以下の説明中、時計方向とは、支軸部１３１ａ及び１３１ｂの回転方向に関して、第２作用部１３３ａ及び１３３ｂの先端が基板ＢＤから遠ざかる向きを指す。反時計方向とは、支軸部１３１ａ及び１３１ｂの回転方向に関して、第２作用部１３３ａ及び１３３ｂの先端が基板ＢＤに近づく向きを指す。
【００８４】
支軸部１３１ａ及び１３１ｂの反時計方向の回転は、図７（Ａ）において、第２作用部１３３ａがリセプタクルハウジング１１１の底面１１１ｃに当たると共に、図７（Ｂ）において、第２作用部１３３ｂがリセプタクルハウジング１１１の底面１１１ｄに当たることによって制限される。
【００８５】
支軸部１３１ａ及び１３１ｂの時計方向の回転は、折り返し部１３５ａ及び１３５ｂ、並びに図４（Ａ）及び（Ｂ）に示す連結部１３７が、図７（Ａ）及び（Ｂ）に示す頂面１１５の、リセプタクル本体部１１０の短手方向に関して図６に示す端壁部１１１ａ２の上方に位置する方の端部の領域（以下、係止面という。）１１５１に接触することによって制限される。
【００８６】
なお、折り返し部１３５ａ及び１３５ｂ並びに連結部１３７は、図７（Ａ）及び（Ｂ）に示す係止面１１５１に接触したとき、それらと係止面１１５１との間の摩擦力によって、自ずと係止面１１５１に接触した状態に係止される。このときの折り返し部１３５ａ及び１３５ｂ並びに連結部１３７の、支軸部１３１ａ及び１３１ｂ回りの回転方向の位置を退避位置と呼ぶことにする。
【００８７】
以下、図８及び図９を参照し、梃子部材１３０の動作について説明する。
【００８８】
なお、以下では、梃子部材１３０の長手方向の両端部のうち、図４（Ａ）に示す他端部１３０ｂの動きを代表して述べるが、一端部１３０ａも他端部１３０ｂと面対称な動きをする。また、以下では、図８及び図９に示す折り返し部１３５ｂの動きについて言及するが、折り返し部１３５ｂは、図４（Ａ）に示すように、連結部１３７及び折り返し部１３５ａと共に１本の棒状体を構成しているため、連結部１３７及び折り返し部１３５ａも、折り返し部１３５ｂと同じ動きをする。
【００８９】
まず、図８を参照し、図１に示すプラグコネクタ２００をリセプタクルコネクタ１００に嵌めるときの梃子部材１３０の動作について説明する。
【００９０】
図８（Ａ）に示すように、予め、リセプタクルコネクタ１００は、折り返し部１３５ｂが退避位置において係止面１１５１に係止している状態にあるものとする。なお、折り返し部１３５ｂが退避位置に係止しているとき、第２作用部１３３ｂは、支軸部１３１ｂから遠ざかるに従って底面１１１ｄから遠ざかるように傾斜している。
【００９１】
ユーザは、この状態のリセプタクルコネクタ１００に対して、プラグコネクタ２００を基板法線方向に近づける。
【００９２】
図８（Ｂ）に示すように、プラグコネクタ２００がリセプタクル本体部１１０に嵌るときに、プラグコネクタ２００の正面２４０によって、第２作用部１３３ｂが、底面１１１ｄに近づけられるように押圧される。これにより、支軸部１３１ｂに反時計回りのトルクが作用し、支軸部１３１ｂが反時計回りに回転する。
【００９３】
支軸部１３１ｂが反時計回りに回転し始めると、折り返し部１３５ｂの、頂面１１５との摩擦力による係止が解除され、折り返し部１３５ｂが、退避位置から、プラグコネクタ２００に近づく向きに移動し、プラグコネクタ２００の側面２５０を押圧する。
【００９４】
このようにして、プラグコネクタ２００は、リセプタクル本体部１１０に嵌る過程で、側面２５０を折り返し部１３５ｂによって押圧されつつ、正面２４０において第２作用部１３３ｂを押圧する。なお、プラグコネクタ２００の正面２４０及び側面２５０には、金属製のプラグシェル２１２が及んでいるため、正面２４０及び側面２５０の梃子部材１３０との接触による摩耗は抑制される。
【００９５】
図８（Ｃ）に示すように、プラグコネクタ２００とリセプタクルコネクタ１００との嵌り合いが完了すると同時に、折り返し部１３５ｂが、プラグコネクタ２００の背面２３０に回り込む。これにより、折り返し部１３５ｂによってプラグコネクタ２００の抜去が阻止されたロック状態となる。なお、このロック状態のリセプタクルコネクタ１００は、図３（Ａ）及び（Ｂ）にも示されている。
【００９６】
このように、折り返し部１３５ｂがプラグコネクタ２００の背面２３０に回り込んでいるときの、図４（Ａ）に示す第１作用部１３２ａ及び１３２ｂ並びに連結部１３７の、支軸部１３１ａ及び１３１ｂ回りの回転方向の位置をロック位置と呼ぶことにする。
【００９７】
折り返し部１３５ｂがプラグコネクタ２００の背面２３０に回り込んだロック位置にあるとき、第２作用部１３３ｂは、リセプタクルハウジング１１１の底面１１１ｄと、プラグコネクタ２００の正面２４０とによって挟み込まれており、それら底面１１１ｄ及び正面２４０と平行に向いている。
【００９８】
このとき、支軸部１３１ｂに平行な側面視において、第２作用部１３３ｂと、図４（Ａ）に示す腕部１３４ｂとのなす角度は略９０°である。両者のなす角度は、自然状態においては、図４（Ｃ）を参照して説明したように８５°である。即ち、折り返し部１３５ｂがロック位置にあるとき、腕部１３４ｂと第２作用部１３３ｂとのなす角度を５°程度広げるねじり応力が、支軸部１３１ｂに残留した状態となっている。
【００９９】
これにより、支軸部１３１ｂのねじり応力に対する弾性復元力によって、折り返し部１３５ｂと第２作用部１３３ｂとが、支軸部１３１ｂ回りの回転方向に関して、互いに近づく向きに、プラグコネクタ２００に押し付けられている。このため、折り返し部１３５ｂは、プラグコネクタ２００の背面２３０に係止しており、折り返し部１３５ｂが意図せずに退避位置に戻ることが、防止される。
【０１００】
以上のように、リセプタクルコネクタ１００は、プラグコネクタ２００との嵌り合いと同時に、プラグコネクタ２００の抜去を抑制するロック状態となり、かつそのロック状態が保持される。
【０１０１】
次に、図９を参照し、プラグコネクタ２００をリセプタクルコネクタ１００から抜去するときの梃子部材１３０の動作について説明する。
【０１０２】
図９（Ａ）に示すように、ユーザは、プラグコネクタ２００の背面２３０に回り込んだロック位置にある折り返し部１３５ｂを、係止面１１５１上に位置する退避位置に向けて移動させる。なお、既述のように、折り返し部１３５ｂは、図４（Ａ）に示す連結部１３７及び折り返し部１３５ａと共に１本の棒状体を構成しているため、折り返し部１３５ｂをロック位置から退避位置に移動させるとは、折り返し部１３５ｂ並びに図４（Ａ）に示す連結部１３７及び折り返し部１３５ａの少なくともいずれかの部分を、ロック位置から退避位置に向けて移動させることを意味する。
【０１０３】
これにより、支軸部１３１ｂに時計方向のトルクが作用する。そして、支軸部１３１ｂの時計方向の回転に伴って、第２作用部１３３ｂが、プラグコネクタ２００を、リセプタクル本体部１１０から抜去させる向きに押圧する。
【０１０４】
図９（Ｂ）に示すように、折り返し部１３５ｂが、背面２３０上のロック位置から係止面１１５１上の退避位置に移動したとき、プラグコネクタ２００の背面２３０には、プラグコネクタ２００の抜去を阻止する部材が存在しないので、リセプタクル本体部１１０からのプラグコネクタ２００の抜去が許容される。即ち、プラグコネクタ２００の抜去を抑制するロック状態が解除される。
【０１０５】
そして、折り返し部１３５ｂが退避位置に移動すると同時に、プラグコネクタ２００とリセプタクル本体部１１０との間の嵌り合いの摩擦力よりも、第２作用部１３３ｂがプラグコネクタ２００を押圧する力が上回り、第２作用部１３３ｂによって、プラグコネクタ２００が、基板ＢＤから離れる向きに押し上げられる。
【０１０６】
図４（Ｃ）を参照して説明したように、図４（Ａ）において、腕部１３４ｂの長さは、第２作用部１３３ｂの長さよりも長い。即ち、図９（Ｂ）において、支軸部１３１ｂから折り返し部１３５ｂまでの距離は、支軸部１３１ｂから、第２作用部１３３ｂの先端までの距離よりも長い。
【０１０７】
このため、梃子の原理により、ユーザが折り返し部１３５ｂを退避位置に移動させるのに要する力よりも大きな力で、プラグコネクタ２００が、第２作用部１３３ｂによって、リセプタクル本体部１１０から抜去させる向きに押圧される。従って、ユーザは、従来よりも小さな力でプラグコネクタ２００を押し上げることができる。
【０１０８】
なお、折り返し部１３５ｂが係止面１１５１上の退避位置に係止されたときには、プラグコネクタ２００の抜去は既に完了している。このように、折り返し部１３５ｂを背面２３０から係止面１１５１に退避させてロック状態を解除すると同時に、プラグコネクタ２００の抜去も完了する。
【０１０９】
なお、抜去の完了とは、プラグコネクタ２００とリセプタクルコネクタ１００との間に嵌まり合いの摩擦力が生じていない状態を指す。抜去が完了したとき、プラグコネクタ２００はリセプタクル本体部１１０に載っているだけの状態となる。
【０１１０】
即ち、折り返し部１３５ｂがロック位置から退避位置に移動されたときに、第２作用部１３３ｂがプラグコネクタ２００を押し上げる距離は、プラグコネクタ２００をリセプタクル本体部１１０に嵌めるときの押し込み距離以上である。ここで、押し込み距離とは、リセプタクル本体部１１０の、プラグコネクタ２００を嵌める際にプラグコネクタ２００との間に摩擦力が生じる部分の基板法線方向の最大長さを意味する。
【０１１１】
また、図４（Ｃ）を参照して説明したように、図４（Ａ）において、支軸部１３１ｂにねじり応力が作用していない自然状態においては、腕部１３４ｂと第２作用部１３３ｂのなす角度が９０°未満である。
【０１１２】
このため、図９（Ｂ）において、折り返し部１３５ｂがロック位置から退避位置に移動されたときに、第２作用部１３３ｂがプラグコネクタ２００を押し上げる距離は、第２作用部１３３ｂの長さが同じで、かつ第２作用部１３３ｂと図４（Ａ）に示す腕部１３４ｂとのなす角度が９０°以上である場合よりも大きい。従って、プラグコネクタ２００の抜去に要する折り返し部１３５ｂの移動距離を短縮できる。
【０１１３】
図９（Ｃ）に示すように、ユーザは、プラグコネクタ２００の抜去が完了した後は、プラグコネクタ２００を取り去ることができる。なお、プラグコネクタ２００の抜去が完了した図９（Ｂ）に示す時点で、折り返し部１３５ｂは、係止面１１５１上の退避位置に係止した状態となる。
【０１１４】
以上説明したように、本実施形態に係るリセプタクルコネクタ１００によれば、次の効果が得られる。
【０１１５】
プラグコネクタ２００と嵌り合う過程で、第２作用部１３３ａ及び１３３ｂが、プラグコネクタ２００によって押圧されることにより、折り返し部１３５ａ及び１３５ｂ並びに連結部１３７を、退避位置から、プラグコネクタ２００の背面２３０に回り込んだロック位置に移動させる支軸部１３１ａ及び１３１ｂの反時計方向の回転をもたらす。
【０１１６】
このため、リセプタクルコネクタ１００は、プラグコネクタ２００と嵌り合ったときには、プラグコネクタ２００の抜去を抑制するロック状態となっている。即ち、プラグコネクタ２００をリセプタクルコネクタ１００に嵌めると同時に、プラグコネクタ２００の抜去を抑制するロックも完了する。従って、ロックの操作を、プラグコネクタ２００を嵌める操作とは別途に行う必要がない。
【０１１７】
また、リセプタクル本体部１１０とプラグコネクタ２００との嵌り合いが完了したとき、腕部１３４ａ及び１３４ｂと第２作用部１３３ａ及び１３３ｂとのなす角度を広げるねじり応力が、支軸部１３１ａ及び１３１ｂに残留した状態となる。これにより、支軸部１３１ａ及び１３１ｂのねじり応力に対する弾性復元力によって、折り返し部１３５ａ及び１３５ｂ並びに連結部１３７と、第２作用部１３３ａ及び１３３ｂとが、プラグコネクタ２００に押し付けられる。このため、ロック状態が意図せずに解除されにくい。
【０１１８】
また、ロック状態は、折り返し部１３５ａ及び１３５ｂ並びに連結部１３７が、ロック位置から退避位置に移動されることで解除されるところ、これらのロック位置から退避位置への移動に伴い、第２作用部１３３ａ及び１３３ｂが、プラグコネクタ２００を抜去させる向きに押圧する。このため、ロック状態の解除と並行して、第２作用部１３３ａ及び１３３ｂによってプラグコネクタ２００の抜去が行われる。従って、ロック状態を解除する操作と、プラグコネクタ２００を抜去する操作とを別々に行う必要があった従来技術に比べて、ロック状態からのプラグコネクタ２００の抜去を簡単に行える。
【０１１９】
また、梃子部材１３０は、折り返し部１３５ａ及び１３５ｂ並びに連結部１３７をロック位置から退避位置に移動するのに要する力よりも大きな押圧力が、第２作用部１３３ａ及び１３３ｂからプラグコネクタ２００に作用するように構成されている。このことも、プラグコネクタ２００の抜去の簡単化に寄与している。
【０１２０】
また、ロック状態で支軸部１３１ａ及び１３１ｂにねじり応力を残留させるために、腕部１３４ａ及び１３４ｂと第２作用部１３３ａ及び１３３ｂとが自然状態でなす角度を９０°未満とした構成は、プラグコネクタ２００の抜去に要する折り返し部１３５ｂの移動距離を短縮する効果も奏する。このことも、プラグコネクタ２００の抜去の簡単化に寄与している。
【０１２１】
［実施形態２］
上記実施形態１では、図４（Ａ）に示したように、梃子部材１３０が、一方の折り返し部１３５ａと他方の折り返し部１３５ｂとをつなぐ連結部１３７を有していたが、連結部１３７は必ずしも有していなくてもよい。以下、その具体例について説明する。
【０１２２】
図１０に示すように、本実施形態に係る梃子部材１４０は、支軸部１３１ａ、第１作用部１３２ａ、及び第２作用部１３３ａを有する第１部分１４０ａと、支軸部１３１ｂ、第１作用部１３２ｂ、及び第２作用部１３３ｂを有する第２部分１４０ｂとに分割されて構成されている。
【０１２３】
第１部分１４０ａは、図５（Ａ）に示すリセプタクル本体部１１０の長手方向の一端部に位置する軸受け部１１１ａに、回転自在に保持される。第２部分１４０ｂは、リセプタクル本体部１１０の長手方向の他端部に位置する軸受け部１１１ｂに、回転自在に保持される。
【０１２４】
本実施形態に係る梃子部材１４０によっても、実施形態１に係る梃子部材１３０と同様の作用効果が得られる。なお、プラグコネクタ２００の抜去を行う際、ユーザは、第１部分１４０ａの折り返し部１３５ａと、第２部分１４０ｂの折り返し部１３５ｂのどちらを先に退避位置に移動させてもよいし、両者１３５ａ及び１３５ｂを同時に退避位置に移動させてもよい。
【０１２５】
以上、本発明の実施形態について説明したが、本発明はこれに限られない。例えば、以下に述べる変形も可能である。
【０１２６】
図１に示したように、上記実施形態１及び２では、基板ＢＤと同軸ケーブルＷＲとを電気的に接続する電気コネクタ対３００について説明したが、電気コネクタ対３００は、基板ＢＤ同士を電気的に接続するものであってもよいし、同軸ケーブルＷＲ同士を電気的に接続するものであってもよい。また、上記実施形態１及び２では、リセプタクルコネクタ１００に梃子部材１３０及び１４０を設けたが、プラグコネクタ２００に梃子部材１３０及び１４０を設けてもよい。
【０１２７】
図４（Ａ）に示したように、上記実施形態１及び２では、腕部１３４ａ及び１３４ｂと第２作用部１３３ａ及び１３３ｂとが自然状態でなす角度を９０°未満としたが、腕部１３４ａ及び１３４ｂと第２作用部１３３ａ及び１３３ｂとが自然状態でなす角度は、９０°以上であってもよい。
【０１２８】
図１０に示したように、上記実施形態２では、梃子部材１４０が第１部分１４０ａと第２部分１４０ｂとを有したが、梃子部材１４０は、第１部分１４０ａと第２部分１４０ｂの一方のみを有する構成としてもよい。
【０１２９】
本発明は、その広義の精神と範囲を逸脱することなく、様々な実施形態及び変形が可能とされる。上記実施形態は、本発明を説明するためのものであり、本発明の範囲を限定するものではない。本発明の範囲は、実施形態ではなく、請求の範囲によって示される。請求の範囲内及びそれと同等の発明の意義の範囲内で施される様々な変形が、本発明の範囲内とみなされる。
【符号の説明】
【０１３０】
１００…リセプタクルコネクタ（電気コネクタ）、
１１０…リセプタクル本体部（本体部）、
１１１…リセプタクルハウジング（ハウジング）、
１１１ａ，１１１ｂ…軸受け部、
１１１ａ１，１１１ａ２，１１１ｂ１，１１１ｂ２…端壁部、
１１１ａ３，１１１ｂ３…被載置部、
１１１ｃ，１１１ｄ…底面、
１１２…リセプタクルシェル（シェル）、
１１２ａ，１１２ｂ…切り欠き、
１１２ａ１，１１２ｂ１…頂部、
１１３…固定部、
１１４ａ，１１４ｂ…側面、
１１５…頂面、
１１５１…係止面、
１２０…リセプタクルコンタクト（コンタクト）、
１３０，１４０…梃子部材、
１３０ａ…一端部、
１３０ｂ…他端部、
１３１ａ，１３１ｂ…支軸部、
１３２ａ，１３２ｂ…第１作用部、
１３３ａ，１３３ｂ…第２作用部、
１３４ａ，１３４ｂ…腕部、
１３５ａ，１３５ｂ…折り返し部、
１３６ａ，１３６ｂ…支軸部と第２作用部との接続部分、
１３７…連結部、
１４０ａ…第１部分、
１４０ｂ…第２部分、
２００…プラグコネクタ（相手電気コネクタ）、
２１０…プラグ本体部、
２１１…プラグハウジング、
２１２，２１３…プラグシェル、
２２０…プラグコンタクト（相手コンタクト）、
２３０…背面、
２４０…正面、
２５０…側面、
３００…電気コネクタ対、
ＢＤ…基板、
ＷＲ…同軸ケーブル、
ＣＷ…中心導体、
ＲＣ…電気的接触領域。
【図１】
2019021400.tif 000003
【図２】
2019021400.tif 000004
【図３】
2019021400.tif 000005
【図４】
2019021400.tif 000006
【図５】
2019021400.tif 000007
【図６】
2019021400.tif 000008
【図７】
2019021400.tif 000009
【図８】
2019021400.tif 000010
【図９】
2019021400.tif 000011
【図１０】
2019021400.tif 000012